(57)【要約】      （修正有）【課題】海苔養殖において、雑藻類や雑菌等を防除すると共に海苔葉体に生理活性を付与し、環境への汚濁負荷を低減又はなくす海苔養殖方法を提供する。【解決手段】海水を貯水した水槽に、養殖海苔網を浸漬し、マイクロバブル発生装置でマイクロバブル含有の気水二相流を吹き込み、海藻類や細菌等を駆除、予防すると共に前記マイクロバブルの生理活性機能で海苔葉体を活性化する。又、海苔育成中においては、必要に応じて、マイクロバブル発生装置でマイクロバブル含有の気水二相流を吹き込み、再度付着した海藻類や細菌等を駆除、予防すると共に前記マイクロバブルの生理活性機能で海苔葉体を活性化して育成する。【選択図】図４
2017070237.tif 000002
【特許請求の範囲】
【請求項１】
従来の各種酸処理剤の濃度を最小限度に保持した液槽に、海苔網を浸漬して雑藻類や雑菌等を弱体化後にマイクロバブル発生装置でマイクロバブルを吹き込む環境下に前記海苔網を浸漬して前記弱体化した雑藻類や雑菌等を駆除すると共に前記マイクロバブルの生理活性機能で海苔葉体を活性化して養殖することを特徴とする海苔養殖方法。
【請求項２】
海水を貯水した水槽に、海苔網を浸漬し、マイクロバブル発生装置でマイクロバブルを散気し、マイクロバブルの洗浄機能で海藻類や細菌等を駆除すると共に前記マイクロバブルの生理活性機能で海苔葉体を活性化して養殖することを特徴とする海苔養殖方法。
【請求項３】
養殖海苔網に付着した雑藻類や雑菌等を、物理的駆除手段で予備駆除後に、マイクロバブル発生装置でマイクロバブルを散気し、該マイクロバブルの洗浄機能で、前記雑藻類や雑菌等を駆除することを特徴とする海苔養殖方法。
【請求項４】
海藻類や細菌等を防除した海苔網を張りこんで養殖している海苔葉体にマイクロバブルを散気し、該マイクロバブルの洗浄機能で、養殖環境の海水中に浮遊している新たな海藻類や細菌等が付着するのを駆除すると共に前記マイクロバブルの生理活性機能で、海苔葉体を生理活性化して養殖することを特徴とする海苔養殖方法。
【発明の詳細な説明】
【技術分野】
【０００１】
本発明は、養殖海苔網に混生する雑藻類や、雑菌等による病害の駆除、予防を図る海苔網の洗浄及び生理活性化方法に関するものである。
【背景技術】
【０００２】
養殖海苔網を海に敷設するに際しては、雑藻類の混生や、雑菌等が原因の病害といった問題があり、こうした雑藻類や雑菌等の駆除、予防法としては、酸処理法が一般的に利用されている。海苔酸処理剤の一例として、海水に無機塩類と酸とを加えたものを開示している（例えば、特許文献１参照）。又、有機酸にリンを含まない緩衝剤化合物と海水を混合し、ｐＨ変化の小さい酸処理剤を開示している（例えば、特許文献２参照）。そして又、乳酸、クエン酸等の有機酸でアオノリ・ケイソウおよび赤腐れ菌を同時に駆除、予防する殺藻殺菌剤を開示している（例えば、特許文献３参照）。しかしながら、このいずれもが、強い酸により、海苔葉体を傷つけ、海苔の生育に障害となっている。その結果、乾海苔は、硬くなり、食味を阻害している。そして、冷凍保存で傷つけられた葉体は、生理活性が低下し、雑藻類との生存競争に負け、又、雑菌に感染し易くなり、赤クサレ病、壷状病、スミ海苔となり、収益を低下させる。
【先行技術文献】
【特許文献】
【０００３】
【特許文献１】特許第３２９６１７４号公報
【特許文献２】特開２００７―９１６９０号公報
【特許文献３】特許３１２１２５９号公報
【発明の概要】
【発明が解決しようとする課題】
【０００４】
本発明は、上記従来技術に鑑み、解決しようとする問題点は、環境への汚濁負荷を低減するか、又は、汚濁負荷を全く排出しないことが課題である。又、濃度を低減した従来の酸処理剤と供用して、雑藻類や雑菌等を駆除、予防すると共に海苔葉体に生理活性を付与することを課題とする。又、雑藻類や雑菌の駆除後において、海苔葉体が、生理活性を付与されて、雑藻類や雑菌類との生存競争に打ち勝つと共に柔らかい美味な乾海苔とすることが課題である。又、冷凍海苔網の張り込み時点において雑藻類や雑菌等を駆除するだけでなく、海苔葉体の生育時においても、雑藻類や雑菌等を駆除すると共に海苔葉体に生理活性を付与することも課題とする。そして又、環境浄化に寄与することも課題とする。
【課題を解決するための手段】
【０００５】
本発明は、上記課題を解決するために、第一の発明においては、従来の各種酸処理剤の濃度を最小限度に保持した液槽に、養殖海苔網を浸漬して雑藻類や雑菌等を弱体化後にマイクロバブル発生装置でマイクロバブル含有の気水二相流を吹き込み、前記弱体化した雑藻類や雑菌等を駆除、予防すると共に前記マイクロバブルの生理活性機能で海苔葉体を活性化する。
【０００６】
又、酸処理剤の濃度を高めて、雑藻類や雑菌等を、全て殺してしまう必要はなく、海苔葉体から、前記雑藻類や雑菌等を除去することにより、海苔葉体に付着する前記雑藻類や雑菌等の数量は減少するので、冷凍保存又は罹患により弱体化した海苔葉体は次第に回復し、自然環境海に常在する、前記雑藻類や雑菌等に罹患し難い、生理活性化した海苔葉体となる（以降においても同様）。
【０００７】
又、第二の発明においては、海水を貯水した水槽に、養殖海苔網を浸漬し、マイクロバブル発生装置でマイクロバブル含有の気水二相流を吹き込み、海藻類や細菌等を駆除、予防すると共に前記マイクロバブルの生理活性機能で海苔葉体を活性化する。
【０００８】
又、第三の発明においては、海水を貯水した水槽に、養殖海苔網を浸漬し，ブラッシングや超音波洗浄装置等の物理的洗浄装置で予備洗浄後に、マイクロバブル発生装置でマイクロバブル含有の気水二相流を吹き込み、海藻類や細菌等を駆除、予防すると共に前記マイクロバブルの生理活性機能で海苔葉体を活性化する。                                                                                                                                                                                                                                                                                                                                                                                                                                                                                                                                                                                                                                                                                                                                                                                                                    
【０００９】
そして又、第四の発明においては、海水を貯水した水槽に、養殖海苔網を浸漬し、マイクロバブル発生装置でマイクロバブル含有の気水二相流を吹き込み、海藻類や細菌等を駆除、予防すると共に前記マイクロバブルの生理活性機能で海苔葉体を活性化した養殖海苔網を海水中に張り込んで養殖し、該養殖の必要な時期又は定期的に、養殖環境の海水中に浮遊している新たな海藻類や細菌等が、養殖海苔葉体に付着したものを、駆除、予防すると共に海苔葉体を生理活性化して養殖する。
【発明の効果】
【００１０】
本発明は、以上説明したように構成されているので、以下に記載されるような効果を奏する。
【００１１】
第一の発明においては、従来の各種酸処理剤を、濃度が濃い状態で使用する場合に比較して、有機物負荷と富栄養負荷を低減すると共に貧酸素水塊層の低減と生物種の減少を抑制する効果も奏する。
【００１２】
又、海苔網を海に張り込み前に、従来の各種酸処理剤を含有する希薄海水に浸漬して、海藻類や細菌等を弱体化後に、マイクロバブル発生装置でマイクロバブル含有の気水二相流を吹き込み、該マイクロバブルの洗浄機能により、前記弱体化した海藻類や細菌等の駆除、予防効果が増進すると共に前記マイクロバブルの生理活性化機能により、海苔葉体の生理機能を活性化し、海苔葉体の健全な成長促進効果を奏する。
【００１３】
又、第二の発明においては、従来の各種酸処理剤を全く使用せず、マイクロバブル発生装置でマイクロバブル含有の気水二相流を吹き込み、該マイクロバブルの洗浄機能で、海藻類や細菌等を駆除、予防するので、有機物負荷と富栄養負荷を環境海に全く排出しないので、環境に優しい海藻類や細菌等の駆除、予防効果を奏すると共に前記マイクロバブルの生理活性化機能により、海苔葉体の生理機能を活性化し、海苔葉体の健全な成長促進効果を奏する。
【００１４】
又、酸処理剤を全く使用してないので、海苔葉体を傷つけてないので、柔らかい美味な海苔を育成出来る効果を奏する。
【００１５】
又、第三の発明においては、従来の各種酸処理剤を全く使用せず、先ず、物理手段で海藻類や細菌等を予備駆除、予防後に、マイクロバブル発生装置でマイクロバブル含有の気水二相流を吹き込み、該マイクロバブルの洗浄機能により、前記海藻類や細菌等の残余部を駆除するので、有機物負荷と富栄養負荷を全く排出することなく、前記マイクロバブルの生理活性化機能により、海苔葉体の生理機能を活性化し、海苔葉体の健全な成長促進効果を奏する。
【００１６】
又、第四の発明においては、海苔網を張りこんで養殖している海水中に、マイクロバブル発生装置でマイクロバブル含有の気水二相流を吹き込み、養殖環境の海水中に浮遊している新たな海藻類や細菌等が海苔葉体に付着したものを駆除、予防すると共に海苔葉体を生理活性化して養殖するので、健全な海苔の収量を増進するので、養殖収入を増大化する効果を奏する。
【００１７】
又、前記マイクロバブルの殺菌機能により、赤潮の原因である植物プランクトンを駆除すると共に海苔の光合成により生成する酸素と、マイクロバブルに含有の酸素とあいまって、環境海水に酸素が供給され、好気性環境となり、二枚貝等の生育が促進され、有機物質は二枚貝等により分解され、海苔の栄養源となり、海苔の生育が促進される効果を奏する。
【図面の簡単な説明】
【００１８】
【図１】図１は、第一の発明に係わる、概略説明工程図である。
【００１９】
【図２】図２は、第二の発明に係わる、概略説明工程図である。
【００２０】
【図３】図３は、第三の発明に係わる、概略説明工程図である。
【００２１】
【図４】図４は、第四の発明に係わる、概略説明工程図である。
【発明を実施するための形態】
【００２２】
閉鎖性水域を良好な魚介類生育環境に改善する曝気装置の動力源として、自然エネルギーを利用する目的を達成した。
【実施例１】
【００２３】
図１は、第一の発明に係わる実施例の概略説明工程図であって、本実施例は、採苗後に、海苔葉体が２〜３ｃｍになるまで育苗した秋芽網の一部を−２０〜−３０℃で数カ月間冷凍保存したものを張込む冷凍網期海苔養殖に係わるものである。
【００２４】
冷凍保存された海苔葉体は、生理的に弱体化していて、さらに、珪藻、アオノリ等の雑藻類や赤腐れ菌、壷状菌、スミ海苔菌等の病原菌が海苔葉体又は海苔網に付着している可能性があり、前記冷凍海苔網を、海中にそのまま張込むと、海中に常在する雑藻類や病原菌等の濃度が高まり、弱体化した海苔葉体の成長が阻害され、海苔の品質が低下するか、全く収穫出来ない事態を回避するために、従来においては、高濃度の酸処理剤で処理して、雑草類や病原菌を駆除、予防していたが、本実施例においては、各酸処理剤の最小限度の濃度での酸処理工程により、弱体化した前記雑藻類や病原菌等を、マイクロバブル発生装置で生成するマイクロバブル含有気水二相流を、冷凍海苔網浸漬海水槽に吹き込むマイクロバブル洗浄工程で洗浄、駆除、予防し、該マイクロバブル洗浄工程を経た冷凍海苔網を海中に張り込む冷凍海苔網張込み工程に進む。マイクロバブルは、生理活性機能を有しているので、海苔葉体は、生理機能が活性化して、順調に生育する。
【実施例２】
【００２５】
図２は、第二の発明に係わる実施例の概略説明工程図であって、本実施例は、図１の実施例と同様に、冷凍網期海苔養殖に係わるものである。
【００２６】
本実施例では、冷凍保存により弱体化した海苔葉体を、酸処理操作により、さらなる海苔葉体の弱体化を回避すると共に環境汚濁負荷を回避するために、酸処理工程を省略し、雑藻類や病原菌等を駆除、予防する代替操作として、殺菌機能、洗浄機能及び生理活性機能を有するマイクロバブル発生装置で生成するマイクロバブル含有気水二相流を、冷凍海苔網浸漬海水槽に吹き込むマイクロバブル洗浄工程で洗浄、駆除、予防し、該マイクロバブル洗浄工程を経た冷凍海苔網を海中に張り込む冷凍海苔網張込み工程に進む。
【実施例３】
【００２７】
図３は、第三の発明に係わる実施例の概略説明工程図であって、本実施例は、図１、図２の実施例と同様に、冷凍網期海苔養殖に係わるものである。
【００２８】
本実施例では、冷凍保存により弱体化した海苔葉体を、酸処理操作により、さらなる海苔葉体の弱体化を回避すると共に環境汚濁負荷を回避するために、酸処理工程を省略し、雑藻類や病原菌等を駆除、予防する代替操作として、物理的駆除手段である超音波洗浄装置で洗浄する超音波洗浄工程を経て、マイクロバブル洗浄工程で洗浄、駆除、予防し、該マイクロバブル洗浄工程を経た冷凍海苔網を海中に張り込む冷凍海苔網張込み工程に進む。尚、本実施例では、物理的駆除手段として、超音波洗浄装置を例示したが、固定ブラシと回転ブラシの間に冷凍海苔網を挟んだ状態で回転ブラシを回転させ、送りドラムで前記冷凍海苔網を移動させながら雑藻類や雑菌等を洗浄することも出来る。
【実施例４】
【００２９】
図４は、第４の発明に係わる実施例の概略説明工程図であって、本実施例は、図１、図２、図３の実施例と同様に、冷凍網期海苔養殖に係わるものである。    
【００３０】
本実施例では、マイクロバブル洗浄工程を経た冷凍海苔網を海中に張り込む、冷凍海苔網張込み工程までは、図２  の実施例と同様であるが、該冷凍海苔網張込み工程を終えた後に海苔葉体を観察しながら、必要な時期又は定期的間隔で、マイクロバブル発生装置で生成するマイクロバブル含有気水二相流を、冷凍海苔網を張込んだ海中に吹き込み、冷凍海苔網で育成中の海苔葉体に付着する雑藻類や雑菌等を駆除すると共に海苔葉体を生理活性化して、健全な海苔葉体として成長を促進させる為のマイクロバブル育成工程を実施する。
【産業上の利用可能性】
【００３１】
本発明は、海苔の養殖において発生するアオノリ等の雑藻類や赤腐れ病等の病害を駆除、予防する海苔養殖方法に関する。
【図１】
2017070237.tif 000003
【図２】
2017070237.tif 000004
【図３】
2017070237.tif 000005
【図４】
2017070237.tif 000006